(57)【要約】      （修正有）【課題】製造コストの削減ができ、量産に適している植物栄養剤用容器を提供する。【解決手段】植物栄養剤用容器１は、上方に出口２、下方に開口３を有する高密度ポリエチレン製の嘴状部４と、嘴状部の出口２に取り付けられるキャップ６と、上方に開口７を有し、嘴状部に対して溶着部８を介して接続するフィルム状の扁平な袋体９と、を備えている。嘴状部と袋体とが一体となって中空のボトルを構成し、嘴状部の厚さが袋体のフィルム厚さよりも厚く設けられ、該ボトルの中空に液状植物栄養剤を封入してなる。【選択図】図１
0003222123.tif 000002
【実用新案登録請求の範囲】
【請求項１】
上方に出口、下方に開口を有する合成樹脂製の嘴状部と、
該嘴状部の出口に取り付けられるキャップと、
上方に開口を有し、前記嘴状部に対して溶着部を介して接続するフィルム状の扁平な袋体と、を備え、
前記嘴状部と前記袋体とが一体となって中空のボトルを構成し、前記嘴状部の厚さが前記袋体のフィルム厚さよりも厚く設けられ、該ボトルの中空に液状植物栄養剤を封入してなることを特徴とする植物栄養剤用容器。
【請求項２】
前記嘴状部の厚さが０．５〜１ｍｍ、前記袋体のフィルム厚さが１０〜１００μｍである請求項１の植物栄養剤用容器。
【考案の詳細な説明】
【技術分野】
【０００１】
本考案は、アンプル形状の植物栄養剤用容器に関する。
【背景技術】
【０００２】
非特許文献１に示すアンプルは、植物に栄養を補給するもので、主にブロー成形で作られ肉厚か、フィルムで作られた考案が提案されている。植物が芽を出す時に、花が咲く時に、バランスの良い栄養補給に、夏の日照りで弱った時に、冬の寒さに負けてきた時に、植え替えなどで植物が弱った時に、花や葉の艶、根に元気がない時に、土がやせている時に用いるものである。使用方法は、キャップの先端をハサミで切り取るか又は指でねじり切って、植物の根元から少し離れたところに差し込んで用いる。アンプルに封入された液体の成分は、植物の三大養分である、チッソ、リン酸、カリを７００倍に希釈し、その他ミネラル分としてマグネシウム、カルシウム、マンガン、鉄、亜鉛、アルミニウム、ナトリウムなどをバランスよく含有している。
【先行技術文献】
【特許文献】
【０００３】
【非特許文献１】ヨーキ産業株式会社ホームページhttp://www.yorkey-sangyo.jp/item/new_item/pure_heart.html
【考案の概要】
【考案が解決しようとする課題】
【０００４】
従来品の製造コストの削減には限界があった。容器の表面積が小さく、きれいな印刷が困難である。容器の変形が少なく、比較的重量があり、ごみの減容が困難である。
【課題を解決するための手段】
【０００５】
本考案は、上方に出口、下方に開口を有する合成樹脂製の嘴状部と、該嘴状部の出口に取り付けられるキャップと、上方に開口を有し、前記嘴状部に対して溶着部を介して接続するフィルム状の扁平な袋体と、を備え、前記嘴状部と前記袋体とが一体となって中空のボトルを構成し、前記嘴状部の厚さが前記袋体のフィルム厚さよりも厚く設けられ、該ボトルの中空に液状植物栄養剤を封入してなることを特徴とする植物栄養剤用容器である。
【０００６】
「上方」は植物栄養剤用容器のキャップを上部にして縦に配置した場合の上方である。「出口」はキャップが切除された場合、植物栄養剤の排出口となるものである。「下方」は植物栄養剤用容器のキャップを上部にして縦に配置した場合の下方である。「開口」の形状には円形、丸形、楕円形、角形等の適宜の断面形状の開口を含む。「合成樹脂」の例としては、ポリエチレン、ポリプロピレン、ポリエチレンテレフタレート等が例示される。「嘴状部」は非特許文献１に記載される市販品、特表２００６−５２１０９１等に例示されるものであり、これを切断して植物栄養剤用容器を逆さまに使用する。「キャップ」はゴム製のもの等が挙げられる。「溶着部」は熱溶着が例示される。「フィルム」は合成樹脂製、アルミ、複合材が例示される。「袋体」は円形、丸形、楕円形、角形等の適宜の断面形状の開口を含む。その外形も円形、丸形、楕円形、角形等の適宜の断面形状が例示される。「袋体」の容積は３０〜１００ｃｃが例示される。前記嘴状部の厚さが０．５〜１ｍｍ、前記袋体のフィルム厚さが１０〜１００μｍであることが好ましい。
【考案の効果】
【０００７】
本考案によれば、植物栄養剤用容器の製造コストの削減ができ、量産に適している。植物栄養剤用容器の表面に印刷がしやすく、例えば、宣伝用の印刷もできる。使用済みの植物栄養剤用容器のごみの減容が容易である。
【図面の簡単な説明】
【０００８】
【図１】本考案の実施形態の植物栄養剤用容器の斜視図である。
【図２】同植物栄養剤用容器の平面図である。
【図３】同植物栄養剤用容器の製造工程を示す説明図である。
【図４】同植物栄養剤用容器の使用状態を示す説明図である。
【考案を実施するための形態】
【０００９】
本考案の実施に係る例を図に示して以下に説明する。図はすべて本考案の一実施例のものであり、以下に説明する詳細は、実用新案登録請求の範囲に記載された本考案の内容を限定するものではない。
【００１０】
本考案の植物栄養剤用容器１の一例を挙げ説明する。植物栄養剤用容器１のキャップ６を上部にして縦に配置した場合を挙げて説明する。上方や下方は植物栄養剤用容器の使用状態で垂直に配置した場合とは、逆様に配置した場合の方向である。
【００１１】
植物栄養剤用容器１は、上方に出口２、下方に開口３を有する高密度ポリエチレン製の嘴状部４と、嘴状部４の出口２に取り付けられるキャップ６と、上方に開口７（図３参照）を有し、嘴状部４に対して溶着部８を介して接続するフィルム状の扁平な袋体９と、を備えている。嘴状部４と袋体９とが一体となって中空のボトルを構成し、嘴状部４の厚さが袋体９のフィルム厚さよりも厚く設けられ、該ボトルの中空に液状植物栄養剤を封入してなることを特徴とする植物栄養剤用容器である。
【００１２】
嘴状部４を横断面で切ったときの厚さは０．５〜１ｍｍである。嘴状部４は市販の植物栄養剤用容器１の高さの１／２〜１／４に当たる高さの上部に該当する構造である。嘴状部４の材質は、透明のものはポリスチロール、半透明のものはポリエチレン、特に高密度ポリエチレン、ポリプロピレンがコストの面から例示される。使用時には、嘴状部４を土に差し込む関係で、これを厚くしないと変形してしまうからである。
【００１３】
出口２はキャップ６が切除された場合、植物栄養剤の排出口となるものである。キャップ６はゴム又はゴム系プラスチックである。キャップ６の材質や構造は従来技術に従うので、説明は略す。キャップ６は嘴状部４に対して嵌着してもよいし、ネジ嵌めでもよい。
【００１４】
開口７の形状には円形である。図４に示す通り、キャップ６を切除して植物栄養剤用容器１を逆さまに使用する。
【００１５】
溶着部８は熱溶着によるものであり、楕円形又は小判形である。
【００１６】
袋体９のフィルムは、軟質のプラスチックフィルム、例えば、材質は基本的にポリエチレン、例えば低密度のポリエチレン等の合成樹脂フィルムである。
【００１７】
フィルムはポリエチレン（特に、高密度ポリエチレン）、又は、ポリプロピレンが好ましい。柔らかさはフィルムの厚みを薄くすれば大体柔らかくなる。ポリプロピレンはコシが強い。
【００１８】
その他、アルミ二ウム箔、アルミニウム蒸着ＰＥＴ（ポリエチレンテレフタレート）、ケイ素蒸着ＰＥＴ等の蒸着フィルム、樹脂コートバリアフィルム、エチレン・プロピ レン・ブロック共重合体のフィルム等の柔軟性素材が例示される。
【００１９】
袋体９は四角形の封筒であり、断面形状は扁平な形状である。袋体９の容積は３０〜１００ｃｃ、好ましくは３０〜４０ｃｃが例示される。「袋体」のフィルム厚さが１０〜１００μｍであることが好ましい。袋体９の扁平度は適宜設定できる。図２に示す通り、袋体９の両端が尖った形状である。フィルムの厚さは、１０〜１００μ、例えば、３０μが例示される。
【００２０】
植物栄養剤用容器１の製造方法を説明する。従来技術は一つ一つの容器に空気を入れて膨らませたりして成型をして、冷却時間がかかり、例えば、サイクルとして１サイクル２０秒くらいはかかることが多い。植物栄養剤用容器１は、嘴状部４を射出成形し、連続してフィルムをフィルムロールから引っ張ってきて、袋体９を成形するとともに、嘴状部４を差し込むことで、嘴状部４と袋体９との溶着がインジェクションで一体にして連続成形し、冷却して溶着部８が固まる。開口７を除いた袋体９の周縁が溶着、圧着、又は接着により閉じられて、気密状態となる。最終工程は液状植物栄養剤の充填とキャップ６の装着である。上記工程の順番は適宜変更が可能である。
【００２１】
植物栄養剤用容器１を個別に製造する方法による。他には、植物栄養剤用容器１の袋体９同士を溶着した連結部分に縦にミシン目等を入れて巻いて包装し、一つ一つ引きちぎって使用する方法もある。
【００２２】
以上説明した植物栄養剤用容器１は製造コストの削減ができ、量産に適している。植物栄養剤用容器１の表面に印刷がしやすく、例えば、宣伝用の印刷もできる。使用済みの植物栄養剤用容器１のごみの減容が容易である。
【産業上の利用可能性】
【００２３】
家庭、企業、公共団体、農業家等での園芸に利用でき、産業的な利用価値は大である。
【００２４】
本考案の実施の形態は、上記の実施形態に何ら限定するものではなく、本考案の技術的思想を逸脱しない範囲において、改変等を加えることができ、それらの改変、均等物等も本考案の技術的範囲に含まれ、該技術的範囲に属する限り種々の形態を採り得る。
【符号の説明】
【００２５】
１      ：植物栄養剤用容器
２      ：出口
３      ：開口
４      ：嘴状部
６      ：キャップ
７      ：開口
８      ：溶着部
９      ：袋体
【図１】
0003222123.tif 000003
【図２】
0003222123.tif 000004
【図３】
0003222123.tif 000005
【図４】
0003222123.tif 000006